(57)【要約】【課題】  電子ペーパー搭載のICカード乗車券を用いて、乗客に対し駅便利情報を提供する方法およびシステムを実現する。【解決手段】  センタシステムが、自動改札機装置から、ICカード乗車券の格納情報を受信した場合に、降車駅の便利情報を駅周辺・施設情報データベースから検索し、降車駅の駅サーバに、便利情報を送信する。駅サーバは、駅務機器へ便利情報を送信し、駅務機器からICカード乗車券に対し、便利情報を送信し、ICカード乗車券は便利情報を表示する【選択図】図１
2007304668.tif 000002
【特許請求の範囲】
【請求項１】
ICカード乗車券の情報を読取可能な自動改札機装置、駅毎の駅周辺・施設情報を格納する駅周辺・施設情報データベースおよび駅毎に設置される駅サーバのアドレスを格納する駅サーバアドレスデータベースを記憶する記憶装置１に接続されたセンタシステム、駅毎に設置され、ICカード乗車券と接続可能な駅務機器と接続され、駅周辺・施設情報を格納する利用情報ファイルを記憶する記憶装置２に接続された駅サーバを用いたICカード乗車券への便利情報送信方法において、
前記自動改札機装置は、ICカード乗車券から降車駅情報を含む入場情報を受信し、
前記自動改札機装置から、前記センタシステムへ前記入場情報を送信し、
前記センタシステムは、駅周辺・施設情報データベースから、前記降車駅の駅周辺・施設情報を抽出し、
前記駅サーバアドレスデータベースから、前記降車駅のアドレスを抽出し、
前記アドレス先の前記駅サーバに、抽出された前記駅周辺・施設情報を送信し、
前記駅サーバは、前記利用情報ファイルに受信した前記駅周辺・施設情報を格納し、
前記駅サーバは、前記駅務機器を介して、前記ICカード乗車券へ前記駅周辺・施設情報を送信することを特徴とする便利情報送信方法。
【請求項２】
請求項１に記載の便利情報送信方法において、
前記入場情報は、前記降車駅に到着する到着時刻情報を含み、
前記センタシステムから前記サーバに送信される前記駅周辺・施設情報２は、前記到着時刻情報を含み、
前記駅サーバは、前記到着時刻情報に基づいて、前記利用情報ファイルから前記駅周辺施設情報２を消去することを特徴とする便利情報送信方法。
【請求項３】
ICカード乗車券の情報を読取可能な自動改札機装置、駅毎の駅周辺・施設情報を格納する駅周辺・施設情報データベース、駅毎に設置される駅サーバのアドレスを格納する駅サーバアドレスデータベースおよび前記ICカード乗車券の降車駅の履歴を記憶する記憶装置１に接続されたセンタシステム、駅毎に設置され、ICカード乗車券と接続可能な駅務機器と接続され、駅周辺・施設情報を格納する利用情報ファイルを記憶する記憶装置２に接続された駅サーバを用いたICカード乗車券への便利情報送信方法において、
前記自動改札機装置は、ICカード乗車券からICカードを識別する識別子を含む入場情報を受信し、
前記自動改札機装置から、前記センタシステムへ前記入場情報を送信し、
前記センタシステムは、前記入場情報を受信し、
前記入場情報に含まれる前記識別子に基づいて、前記ICカード乗車券の降車駅の履歴を抽出し、
周辺・施設情報データベースから、抽出された前記降車駅の駅周辺・施設情報を抽出し、
前記駅サーバアドレスデータベースから、前記降車駅のアドレスを抽出し、
前記アドレス先の前記駅サーバに、抽出された前記駅周辺・施設情報を送信し、
前記駅サーバは、前記利用情報ファイルに受信した前記駅周辺・施設情報を格納し、
前記駅サーバは、前記駅務機器を介して、前記ICカード乗車券へ前記駅周辺・施設情報を送信することを特徴とする便利情報送信方法。
【請求項４】
請求項３に記載の便利情報送信方法において、
前記入場情報は、前記降車駅に到着する到着時刻情報を含み、
前記センタシステムから前記サーバに送信される前記駅周辺・施設情報２は、前記到着時刻情報を含み、
前記駅サーバは、前記到着時刻情報に基づいて、前記利用情報ファイルから前記駅周辺施設情報２を消去することを特徴とする便利情報送信方法。
【請求項５】
ICカード乗車券の情報を読取可能な自動改札機装置、駅毎の駅周辺・施設情報を格納する駅周辺・施設情報データベースおよび駅毎に設置される駅サーバのアドレスを格納する駅サーバアドレスデータベースを記憶する記憶装置１に接続されたセンタシステム、駅毎に設置され、表示装置を備えICカード乗車券の情報を読取可能な駅務機器と接続され、駅周辺・施設情報を格納する利用情報ファイルを記憶する記憶装置２に接続された駅サーバを用いた駅務機器の表示装置の便利情報表示方法において、
前記自動改札機装置は、ICカード乗車券から降車駅情報を含む入場情報を受信し、
前記自動改札機装置から、前記センタシステムへ前記入場情報を送信し、
前記センタシステムは、駅周辺・施設情報データベースから、前記降車駅の駅周辺・施設情報を抽出し、
前記駅サーバアドレスデータベースから、前記降車駅のアドレスを抽出し、
前記アドレス先の前記駅サーバに、抽出された前記駅周辺・施設情報を送信し、
前記駅サーバは、前記利用情報ファイルに受信した前記駅周辺・施設情報を格納し、
前記駅サーバは、前記駅務機器へ前記駅周辺・施設情報を送信し、
前記駅務機器は、前記ICカード乗車券の情報を読取った場合に、前記駅周辺・施設情報を前記表示装置に表示することを特徴とする駅務機器の表示装置の便利情報表示方法。
【発明の詳細な説明】
【技術分野】
【０００１】
本発明は、電子ペーパー等、情報を表示する表示媒体が搭載されたICカードに情報を表示する技術に関する。
【背景技術】
【０００２】
ICカードの乗車券の乗車情報を改札ゲート装置が取得して、利用して、改札制御装置および運賃情報連絡装置にて運賃情報を算出し、利用者受信装置や利用者端末装置に送信する技術がある（例えば特許文献１）。
【０００３】
また、ICチップを携帯端末に組み込まれた技術がある（例えば特許文献２）。
【０００４】
【特許文献１】特開平１１−３２８４５１号公報
【特許文献２】特開２００１−２７３５２８号公報
【発明の開示】
【発明が解決しようとする課題】
【０００５】
特許文献１のように、利用者受信端末および利用者端末装置を利用して、運賃情報を携帯端末に送信するサービスがある。しかし、このサービスを利用する場合には、事前に利用者受信端末のメールアドレス等を登録しておく契約が必要となり、乗客に対してその手続が煩雑となっている問題がある。
【０００６】
現在、紙のように薄くて軽く、省電力でメンテナンスの負担が少ない電子ペーパーという新しい媒体が開発されている。この電子ペーパーを、ICカード乗車券上に搭載したら、従来のカードサイズのまま、かつ多くの情報量を提供し、顧客にとって事前の契約が不要なサービスを乗客に提供可能である。
【０００７】
特許文献１および２は、受信端末が、携帯端末等の外部通信網と接続可能な端末であることを想定しているため、電子ペーパーをICカードの乗車券に搭載し、電子ペーパー上に情報を表示させたい場合には、電子ペーパー搭載のIC乗車券は外部通信網と接続不可能であるため、特許文献１および２の技術を応用することはできない。
【０００８】
そこで、本発明の目的は、電子ペーパー搭載のICカード乗車券を用いて、乗客に対し駅便利情報を提供する方法およびシステムを実現することにある。
【課題を解決するための手段】
【０００９】
センタシステムが、自動改札機装置から、ICカード乗車券の格納情報を受信した場合に、降車駅の便利情報を駅周辺・施設情報データベースから検索し、降車駅の駅サーバに、便利情報を送信する。駅サーバは、駅務機器へ便利情報を送信し、駅務機器からICカード乗車券に対し、便利情報を送信し、ICカード乗車券は便利情報を表示する
【発明の効果】
【００１０】
本発明により、電子ペーパー等、表示媒体が搭載されたICカード乗車券を利用したサービスが提供可能となる。
【発明を実施するための最良の形態】
【００１１】
図１に本発明のシステム構成図を示す。自動改札機装置、各店舗サーバ、センタシステムおよび駅サーバは伝送路に接続されている。自動改札機装置は、電子ペーパーが搭載されたICカード乗車券（以下、省略してICカード乗車券と記載する）に格納された情報を読み取り可能である。なお、ICカード乗車券に搭載されている電子ペーパーは、電子ペーパー以外の情報を書き換え可能な表示媒体でも良いものとする。
【００１２】
また、駅サーバと駅務機器は伝送路で接続されており、駅務機器はICカード乗車券の情報の読み取り、書き込み可能な装置である。また駅務機器が表示装置を有している場合もある。
【００１３】
自動改札機装置は、駅毎の改札前に備え付けられている装置で、乗客が入退場のときに通過する。駅サーバは、各駅毎に設けられているサーバである。ここにおいて、駅サーバは、各駅ではなく、複数の駅が共同して保有する状態であってもよい。駅務機器は、駅毎に備え付けられている装置で、乗客が利用可能である。センタシステムは、自動改札機装置および各店舗サーバー等から送信された情報を処理し、駅サーバに情報を処理した情報を送信するシステムである。
【００１４】
なお、いずれの装置およびシステムにおいても、情報の送受信を行う入出力部、情報の算出をプログラムに従って行う処理部を備えている。
【００１５】
図２に、発明の構成を示す。ICカード乗車券の乗車状況を、センタシステム３１の乗車券利用情報収集部は収集して、ICカード利用情報ファイルに格納する。また、買い物用ICカードの買い物状況等も、各店舗・施設の利用情報収集部にて収集して、ICカード利用情報ファイルに格納する。
【００１６】
ここにおいて、ICカード乗車券と買い物用ICカードは同一であっても良いし、異なっていても良い。ICカード利用情報ファイルのデータベースは図５に示す。
【００１７】
各店舗サーバ等または／および駅サーバから駅構内、駅周辺の施設や店舗等の情報を、駅構内、各店舗・施設のお得情報収集部にて収集し、駅周辺施設情報ファイルに格納する。
【００１８】
ICカード利用情報ファイルおよび駅周辺施設情報ファイルは、センタシステムが情報を受信する毎に、もしくは定期的に更新するものとする。
【００１９】
次に、ICカード乗車券に駅周辺や駅施設の情報（便利情報と呼ぶ）を表示させる一連の構成について説明する。
【００２０】
ICカード乗車券の格納情報を自動改札機措置へ送信し、自動改札機装置は、センタシステムへ格納情報を送信し、センタシステムの便利情報類推部は、ICカード格納情報をキーとして、ICカード利用情報ファイルおよび駅周辺施設情報ファイルを検索し、抽出した情報を、便利情報ファイルへ格納する。
【００２１】
顧客向け利用情報作成部は、便利情報ファイルに格納された便利情報を、送信する駅サーバ毎に分類し、顧客向け利用情報ファイルに格納する。
【００２２】
顧客向け利用情報送信部は、顧客向け利用情報ファイルに格納された便利情報を、駅サーバアドレスDBに格納されている駅サーバアドレスに対し送信する。
【００２３】
駅サーバは、便利情報を受信し、顧客向け利用情報ファイルに格納し、駅務機器から送信の要求があった場合に、駅務機器に送信し、駅務機器は、便利情報を、ICカード乗車券に便利情報を送信し、ICカード乗車券は、電子ペーパー上に便利情報を表示する。
【００２４】
図３に、ICカード乗車券の構成図を示す。図に示すように、ICカード乗車券は、片側が電子ペーパー、もう片側がICカード乗車券になっている。
【００２５】
図４に、ICカードICカード乗車券の画面表示例を示す。図に示すように、電子ペーパー部に、便利情報を表示する。
【００２６】
図５〜図１０は、本発明で利用するデータベース等を示した図面である。詳細は、図１１〜図１５のフローチャートにおいて、説明する。
【００２７】
図１１は、センタシステムにおけるICカード利用情報データベースの購入商品情報の格納手順を示している。利用者が、商品等を購入するさいに、店舗等のサーバからカードNo、顧客ID,購入商品ID,数量、購入金額を含む購入商品情報をセンタシステムへ送信し、ステップ１１０において、センタシステムは購入商品情報を受信する。ステップ１１５おいて、センタシステムは、受信した購入商品情報を、ICカード利用情報データベース２０のパターンB（購入商品情報）に格納する。
【００２８】
図１２は、センタシステムにおけるICカード利用情報データベースのパターンA（乗車情報）を格納する格納手順を示す。
【００２９】
ICカード乗車券で自動改札機装置を通過した場合に、自動改札機装置は、図９に示すICカード乗車券に格納された格納情報を、ICカードから受信して、センタシステムに送信する。
【００３０】
ステップ１２０において、電子ペーパー付ICカードの格納情報を受信する
ステップ１２５において、受信した格納情報を、ICカード利用情報データベース２０のパターンA（乗車情報）に格納する。
【００３１】
なお、乗車情報の格納は、ICカード乗車券で自動改札機装置を通過する毎のレコードが作成されるものとし、図５に示すように、カードNo,顧客Noごとに、乗車駅コード、降車駅コードのレコードが蓄積される。
【００３２】
なお、図９に示す格納情報は、乗車券が例えば特急電車の指定券のように、乗車駅と降車駅が予め定まっているものを想定する。
【００３３】
指定券ではない場合には、図面においては省略するが、ICカード乗車券での乗車、降車毎における自動改札機装置の通過時に、カードNo,顧客Noを自動改札機装置はICカードから取得し、乗車駅コードもしくは降車駅コードを追加し、センタシステムへ送信することとする。
【００３４】
図１３は、センタシステムが駅周辺・施設情報を、駅周辺・施設情報ファイルに格納する手順について説明する。
【００３５】
ステップ１３０において、センタシステムは、各店舗サーバ等および／または駅サーバから、図６に示す駅周辺情報および／または駅施設情報を受信する。駅周辺情報および駅施設情報は、図６に示すとおりだが、購入商品ID関連情報とは、図５の購入商品情報に含まれる購入商品IDと関連付けられる情報で、購入商品IDで識別される商品の購入者に対して宣伝広告したい場合に、当該購入商品IDが、購入商品ID関連情報として各店舗サーバ、または駅サーバから入力される。
【００３６】
ステップ１３５において、センタシステムは受信した駅周辺情報、駅施設情報を、図６に示す駅周辺・施設情報ファイルに格納する。
【００３７】
図１４は、センタシステムが、便利情報を駅サーバに送信する手順を説明する。図１４の手順の事前動作として、以下の処理をする。乗客が、自動改札機装置を追加する場合に、ICカード乗車券を、自動改札機装置にかざす。ICカード乗車券は、ICカード乗車券に格納されている図９に示す格納情報を、自動改札機装置に送信し、自動改札機装置は、格納情報をセンタシステムに送信する。
【００３８】
ステップ１４０において、自動改札機装置から格納情報を受信する。ステップ１４２において、格納情報に含まれる顧客IDまたはカードNoと一致する顧客ID,カードNoの購入商品情報を検索し、検索された購入商品情報に含まれる購入商品IDを抽出する。
【００３９】
ステップ１４４において、複数の購入商品IDが抽出された場合には、上位自然数M個の購入商品IDを抽出する。
【００４０】
ステップ１４６において、格納情報に含まれる降車駅コードの駅コードを含む駅周辺情報および駅施設情報を、駅周辺・施設情報ファイル２１から抽出する。抽出された駅周辺情報および駅施設情報からステップ１４４（ステップ１４０）で抽出された購入商品IDを含む駅周辺情報および駅施設情報を、駅周辺・施設情報ファイル２１から抽出する。
【００４１】
購入商品IDから、駅周辺情報および駅施設情報を抽出することにより、顧客毎の購買履歴に応じた情報を検索することができる。また、店舗サーバ等および駅サーバにおいて、駅周辺情報および駅施設情報を入力する人にとって、どのような商品を購買する人に対して情報を表示させたいかを考慮することができる。
【００４２】
また、ステップ１４２およびステップ１４４は省略してもよい。この場合は、降車駅の駅コードから、駅周辺・施設情報ファイル２１を検索する。
【００４３】
この場合には、例えば、ICカード乗車券が一回限りの指定券乗車券である場合にも適応可能である。特急電車で東京から新大阪まで行く場合に、当該ICカード乗車券を購入した場合は、新大阪で駅周辺情報、駅施設情報をICカード乗車券に取得できる。また、カードを識別するカードNoのみで処理できるので、乗客は、事前の契約を一切行う必要はない。
【００４４】
ステップ１４８において、ステップ１４６で抽出された駅周辺情報および駅施設情報を、図７に示すように便利情報ファイルに格納する。
【００４５】
ステップ１４０〜ステップ１４８は、一定時間または便利情報ファイルに格納されたレコード数が一定の数を満たすまで繰り返される。ステップ１４０〜ステップ１４８が一回繰り返される毎に、図７に示すように駅コード、顧客IDごとの便利情報Aおよび便利情報Bが格納されるシートが作成される。
【００４６】
ステップ１５０において、図８に示すように駅コード毎に、顧客毎の便利情報A、Bを顧客向け利用情報ファイルに格納する。
【００４７】
ステップ１５２において、図１０に示す駅サーバアドレスDBから駅コードに対応する駅サーバアドレスを取得する。
【００４８】
ステップ１５４において、駅サーバに対し、便利情報（顧客ID,カードNo毎の便利情報Aおよび便利情報B）を送信する。なお、駅サーバでは、受信した便利情報を、顧客向け利用情報ファイルに格納する。
【００４９】
図１４に示す手順は、ICカード乗車券が、降車駅が定められ、格納情報として格納されている場合（例えば特急指定券など）である。降車駅が定められていない普通乗車券である場合には、センタシステムは、ステップ１４０にて降車駅コードを取得しない。その場合には、センタシステムはICカード利用情報データベース２０のパターンA（乗車情報）の降車駅コードの履歴から、降車するであろう駅を推定する。具体的には、降車駅コードの多い順にN個取得し、ステップ１５２にてN個分の駅サーバアドレスを取得し、N個の駅サーバに対し、特定便利情報を送信する処理を行う。
【００５０】
図１５は、ICカード乗車券へ便利情報を表示する手順について説明する。この処理は、ICカード乗車券を保有する乗客が、降車駅に到着した場合の処理である。ステップ１６０において、ICカード乗車券は、駅務機器に対し、ICカード乗車券に格納されている顧客ID、カードNoを発信する。
【００５１】
ステップ１６２において、駅務機器は、顧客ID、カードNoを受信して、駅サーバに送信する。ステップ１６４において、駅サーバは、顧客ID,カードNoを受信する。
【００５２】
ステップ１６６において、顧客IDまたはカードNoをキーとして、顧客向け利用情報ファイルを検索し、便利情報を抽出する。
【００５３】
ステップ１７０において、ステップ１６６において抽出された便利情報を駅務機器に送信する。
【００５４】
ステップ１７２において、駅務機器は、駅サーバから便利情報を受信し、ICカード乗車券に送信する。
【００５５】
ステップ１７４において、ICカード乗車券は、駅務機器から便利情報を受信する。ステップ１７６において、ICカード乗車券は、受信した便利情報を電子ペーパー上に表示する。表示画面例は、図４に示す。
【００５６】
なお、ステップ１７２において、便利情報をICカード乗車券に送信するかわりに、ステップ１７７において、駅務機器の表示装置（図示なし）に、便利情報を表示させてもよい。
【００５７】
ステップ１８０において、駅サーバは、顧客向け利用情報ファイル中の顧客ID、カードNo毎の便利情報のうち、降車時間が一定以上経過した便利情報を削除する。
【００５８】
このステップにより、駅サーバの記憶容量の負担を回避し、かつ、常に最新の乗車の際に作成された便利情報のみを表示させることとなる。
【産業上の利用可能性】
【００５９】
本発明は、表示装置を備えた乗車券端末に適用可能である。
【図面の簡単な説明】
【００６０】
【図１】システム構成図
【図２】発明の構成図
【図３】ICカード乗車券構成図
【図４】ICカード乗車券画面表示例
【図５】ICカード利用情報データベース２０
【図６】駅周辺・施設情報ファイル２１
【図７】便利情報ファイル２２
【図８】顧客向け利用情報ファイル２３
【図９】電子ペーパー付ICカード１６の格納情報
【図１０】駅サーバアドレスDB２７
【図１１】ICカード利用情報データベース−購入商品情報−格納手段
【図１２】ICカード利用情報データベース−乗車情報−格納手段
【図１３】駅周辺・施設情報ファイル２１格納手順
【図１４】便利情報送信手順
【図１５】ICカード乗車券への便利情報表示手順
【符号の説明】
【００６１】
１６  ICカード乗車券
２４  各店舗サーバ等
２５  自動改札機装置
２６  駅サーバ
３１  センタシステム
３２  駅務機器
【図１】
2007304668.tif 000003
【図２】
2007304668.tif 000004
【図３】
2007304668.tif 000005
【図４】
2007304668.tif 000006
【図５】
2007304668.tif 000007
【図６】
2007304668.tif 000008
【図７】
2007304668.tif 000009
【図８】
2007304668.tif 000010
【図９】
2007304668.tif 000011
【図１０】
2007304668.tif 000012
【図１１】
2007304668.tif 000013
【図１２】
2007304668.tif 000014
【図１３】
2007304668.tif 000015
【図１４】
2007304668.tif 000016
【図１５】
2007304668.tif 000017